(57)【要約】　　　（修正有）【課題】防水性能がさらに向上するように改良された、装飾用ライトストリングを提供する。【解決手段】雄コネクタ１０の本体１１に周りに滑動可能に取り付けられたカバー１２であってカバーの内周側に形成された内ねじ部１２１を有するカバーと、少なくとも２つのピン１３を囲むように本体の端部の周りに一体的に形成されたスリーブ１８であってスリーブの内周側に互いに対向して形成された２つのリブ１８１を有するスリーブと、雌コネクタ２０の端部の周りに一体的に形成されたエンクロージャ２２であってカバーの内ねじ部に対応するようにエンクロージャの外周に形成された外ねじ部２２１を有するエンクロージャとを含む。スリーブと対応するように雌コネクタの本体とエンクロージャとの間に間隙２６が形成されており、間隙にスリーブが受け入れられ、装飾用ライトストリングの防水のためにカバーとエンクロージャとの間でねじ結合がされる。【選択図】　　　図１
0003098347.tif 000002
【実用新案登録請求の範囲】
【請求項１】
円柱状の第１の本体と、シールに当接するように前記第１の本体の外周に形成された環状の止め部と、前記第１の本体から伸びる少なくとも２つのピンと、前記第１の本体に滑動可能に取り付けられたカバーであって前記カバーの内周側に形成された内ねじ部を有するカバーとを備える雄コネクタと、円柱状の第２の本体であって前記雄コネクタの少なくとも２つのピンに対応するように前記第２の本体の端部に形成された少なくとも２つの受け口を有する第２の本体を備える雌コネクタとを含む装飾用ライトストリングであって、さらに、前記第２の本体の周りに一体的に形成されたエンクロージャであって前記カバーの内ねじ部に対応するように前記エンクロージャの外周に形成された外ねじ部を有するエンクロージャを含み、
前記円柱状の第２の本体と前記エンクロージャとの間に間隙が形成され、
前記雄コネクタの少なくとも２つのピンが前記雌コネクタの対応する少なくとも２つの受け口に挿入された後、前記間隙にスリーブが受け入れられ、前記装飾用ライトストリングの防水のために前記カバーと前記エンクロージャとの間でねじ結合がされる、装飾用ライトストリング。
【請求項２】
前記間隙は、該間隙への前記スリーブの挿入が可能であるように前記スリーブの外径より大きい外径を有する空間を形成しており、
前記雄コネクタと前記雌コネクタとの係合後に前記雌コネクタに対する前記雄コネクタの相対的位置が固定されるように、前記雌コネクタの第２の本体に互いに対向して形成された２つの案内スロットに対応するように前記スリーブの内周側に互いに対向して形成された２つのリブを含む、請求項１に記載の装飾用ライトストリング。
【請求項３】
雄コネクタであって該雄コネクタの端部から伸びる少なくとも２つピンを有する雄コネクタと、前記雄コネクタに取り外し可能に結合された雌コネクタであって前記少なくとも２つのピンに対応するように少なくとも２つの受け口を有する雌コネクタとを備える装飾用ライトストリングのための防水構造であって、
前記雄コネクタの本体に周りに滑動可能に取り付けられたカバーであって前記カバーの内周側に形成された内ねじ部を有するカバーと、
前記雄コネクタの本体に一体的に形成された環状の止め部と、
前記止め部に当接するように前記雄コネクタの本体に取り付けられたシールと、
前記少なくとも２つのピンを囲むように前記本体の端部の周りに一体的に形成されたスリーブであって該スリーブの内周側に互いに対向して形成された２つのリブを有するスリーブと、
前記雌コネクタの端部の周りに一体的に形成されたエンクロージャであって前記カバーの内ねじ部に対応するように前記エンクロージャの外周に形成された外ねじ部を有するエンクロージャと、
前記スリーブと対応するように前記雌コネクタの本体と前記エンクロージャとの間に形成された間隙と、
前記２つのリブに対応するように前記雌コネクタの本体に互いに対向して形成された２つの案内スロットとを含み、
前記間隙は、該間隙への前記スリーブの挿入が可能であるように前記スリーブの外径より大きい外径を有する空間を形成しており、
前記雄コネクタの少なくとも２つのピンが前記雌コネクタの対応する少なくとも２つの受け口に挿入された後、前記間隙に前記スリーブが受け入れられ、前記装飾用ライトストリングの防水のために前記カバーと前記エンクロージャとの間でねじ結合がされる、装飾用ライトストリングのための防水構造。
【考案の詳細な説明】
【０００１】
【考案の属する技術分野】
本考案は、装飾用ライトストリング及び装飾用ライトストリングのための防水構造に関し、特に、複数の発光器を連ねた装飾用ライトストリングの防水性能を高めるため、前記装飾用ライトストリングの雄コネクタと雌コネクタとが一体的に結合されるように改良された、装飾用ライトストリング及び装飾用ライトストリングのための防水構造に関する。
【０００２】
【従来の技術】
図５、図６を参照するに、従来の装飾用ライトストリングは、雄コネクタ５０と雌コネクタ６０とを有する。
【０００３】
雄コネクタ５０は、樹脂製の第１の本体５１と、エンクロージャ５３とを有する。エンクロージャ５３は、第１の本体５１の端部から伸びる２つのピン５５を囲むように第１の本体５１の前記端部に一体的に形成されている。
【０００４】
雌コネクタ６０は、雄コネクタ５０の２つのピン５５に対応する２つの受け口６１１を有する第２の本体６１と、密封用のシール６５及びカバー６７を止めるための、第２の本体６１の外周側に形成された肩部６３とを備える。
【０００５】
従来の装飾用ライトストリングは、その防水効果が、エンクロージャ５３に形成された外ねじ部５３１と、カバー６７の内周側に形成されたない内ねじ部６７１との係合に依存している。装飾用ライトストリングを組み立てるとき、まず、シール６５を第２の本体６１の周りに取り付け、肩部６３で止める。カバー６７を、内ねじ部６７１と外ねじ部５３１との間の対応関係によってねじ係合でエンクロージャ５３に連結する。第２の本体６１の端部から肩部６３までの距離は、エンクロージャ５３の端部から第１の本体５１の端部までの距離と実質的に同じである。したがって、エンクロージャ５３の端部がシール６５に当接したとき、カバー６７とエンクロージャ５３との間の螺合運動が止まる。図６に示す組立品からわかるように、装飾用ライトストリングの防水性能は、エンクロージャ５３とカバー６７及びシール６５との係合に依存している。このような係合は、ピン５５と受け口６１１との間の電気的接続の保護のために十分ではない。
【０００６】
【考案が解決しようとする課題】
本考案の目的は、前記した問題を除去又は軽減するように、すなわち、装飾用ライトストリングの防水性能がさらに向上するように改良された、装飾用ライトストリング及び装飾用ライトストリングのための防水構造を提供することにある。
【０００７】
【課題を解決するための手段、作用および効果】
本考案に係る装飾用ライトストリングは、円柱状の第１の本体と、シールに当接するように前記第１の本体の外周に形成された環状の止め部と、前記第１の本体から伸びる少なくとも２つのピンと、前記第１の本体に滑動可能に取り付けられたカバーであって前記カバーの内周側に形成された内ねじ部を有するカバーとを備える雄コネクタと、円柱状の第２の本体であって前記雄コネクタの少なくとも２つのピンに対応するように前記第２の本体の端部に形成された少なくとも２つの受け口を有する第２の本体を備える雌コネクタとを含む装飾用ライトストリングであって、さらに、前記第２の本体の周りに一体的に形成されたエンクロージャであって前記カバーの内ねじ部に対応するように前記エンクロージャの外周に形成された外ねじ部を有するエンクロージャを含み、前記円柱状の第２の本体と前記エンクロージャとの間に間隙が形成され、前記雄コネクタの少なくとも２つのピンが前記雌コネクタの対応する少なくとも２つの受け口に挿入された後、前記間隙にスリーブが受け入れられ、前記装飾用ライトストリングの防水のために前記カバーと前記エンクロージャとの間でねじ結合がされる。
【０００８】
本考案に係る装飾用ライトストリングのための防水構造は、雄コネクタであって該雄コネクタの端部から伸びる少なくとも２つピンを有する雄コネクタと、前記雄コネクタに取り外し可能に結合された雌コネクタであって前記少なくとも２つのピンに対応するように少なくとも２つの受け口を有する雌コネクタとを備える装飾用ライトストリングのための防水構造であって、前記雄コネクタの本体に周りに滑動可能に取り付けられたカバーであって前記カバーの内周側に形成された内ねじ部を有するカバーと、前記雄コネクタの本体に一体的に形成された環状の止め部と、前記止め部に当接するように前記雄コネクタの本体に取り付けられたシールと、前記少なくとも２つのピンを囲むように前記本体の端部の周りに一体的に形成されたスリーブであって該スリーブの内周側に互いに対向して形成された２つのリブを有するスリーブと、前記雌コネクタの端部の周りに一体的に形成されたエンクロージャであって前記カバーの内ねじ部に対応するように前記エンクロージャの外周に形成された外ねじ部を有するエンクロージャと、前記スリーブと対応するように前記雌コネクタの本体と前記エンクロージャとの間に形成された間隙と、前記２つのリブに対応するように前記雌コネクタの本体に互いに対向して形成された２つの案内スロットとを含み、前記間隙は、該間隙への前記スリーブの挿入が可能であるように前記スリーブの外径より大きい外径を有する空間を形成しており、前記雄コネクタの少なくとも２つのピンが前記雌コネクタの対応する少なくとも２つの受け口に挿入された後、前記間隙に前記スリーブが受け入れられ、前記装飾用ライトストリングの防水のために前記カバーと前記エンクロージャとの間でねじ結合がされる。
【０００９】
本考案の他の特徴および利点は、添付図面を参照しての以下の説明からさらに明らかになろう。
【００１０】
【考案の実施の形態】
図１を参照するに、装飾用ライトストリングは、雄コネクタ１０と、雌コネクタ２０とを含む。雄コネクタ１０は円柱形状の第１の本体１１を有し、第１の本体１１は、該第１の本体の端部から伸びる２つのピン１３を有する。雌コネクタ２０は円柱形状の第２の本体２１を有し、第２の本体２１は、第１の本体１１の２つのピン１３に対応するように第２の本体２１の端部に形成された２つの受け口２３を有する。
【００１１】
本考案に係る装飾用ライトストリングのための防水構造は、第１の本体１１の周りに滑動可能に取り付けられたカバー１２であって、カバー１２の内周側に形成された内ねじ部１２１を有するカバー１２を備える。環状の止め部１４が、シール１６に当接するように、第１の本体１１の外周に形成されている。スリーブ１８が、ピン１３を囲むように、第１の本体１１の端部から一体的に伸びている。スリーブ１８は、該スリーブの内周側に形成された互いに対向する２つのリブ１８１を有する。
【００１２】
本考案に係る装飾用ライトストリングのための防水構造は、さらに、第２の本体２１の外方に一体的に形成されたエンクロージャ２２であって、カバー１２に対応するように形成された外ねじ部２２１を有するエンクロージャ２２を備える。２つの案内スロット２４が、２つのリブ１８１に対応するように第２の本体２１の外周に対向するように形成されている。間隙２６が、エンクロージャ２２と第２の本体２１との間に形成されている。
【００１３】
装飾用ライトストリングが組み立てられたとき、シール１６は止め部１４に当接する。雄コネクタ１０のピン１３は、雌コネクタ２０の対応する受け口２３に挿入されている。スリーブ１８の内径が第２の本体２１の外径よりわずかに大きく、また、スリーブ１８の外径がエンクロージャ２２の内径よりわずかに小さい。このことから、ピン１３が該ピンに対応する受け口２３に挿入されることにより、２つのリブ１８１が該リブに対応する案内スロット２４に受け入れられ、スリーブ１８が間隙２６に受け入れられる。
【００１４】
図２、図３を参照するに、雄コネクタ１０と雌コネクタ２０との組み立て後においてはスリーブ１８は間隙２６に受け入れられており、シール１６は、エンクロージャ２２の端部と止め部１４との間に挟まれている。さらに、雌コネクタ２０にエンクロージャ２２を付加したことにより、装飾用ライトストリングに特別な防水性能を加える。
【００１５】
図４を参照するに、スリーブ１８′は、図１に示す円柱形状の内部空間に代えて、立方形状の内部空間を有する。ピン１３′（この実施例では、４つとしている。）が受け口２３′に挿入された後、雄コネクタ１０と雌コネクタ２０との間に相対的な回転運動が生じないように、第２の本体２１は、スリーブ１８′の立方形状の内部空間に対応する立方形状のヘッド部２７を有する。
【００１６】
結論として、雌コネクタ２０にエンクロージャ２２を付加することにより、装飾用ライトストリングの防水性能が向上する。
【００１７】
本考案の種々の特徴及び利点を構造及び機能の詳細と共に前述したが、詳細において、特に、部品の形状、寸法および配置の事項に関して変更が可能であることは、当該技術分野の知識を有する者にとって明らかである。
【図面の簡単な説明】
【図１】本考案に係る装飾用ライトストリングのための防水構造の一実施例を装飾用ライトストリングと共に示す分解斜視図。
【図２】本考案に係る、雄コネクタと雌コネクタとが係合された状態における装飾用ライトストリングのための防水構造の断面図。
【図３】図２に示す装飾用ライトストリングのための防水構造及び装飾用ライトストリングの３−３線に沿って得た断面図。
【図４】本考案に係る装飾用ライトストリングのための防水構造の他の実施例を装飾用ライトストリングと共に示す分解斜視図。
【図５】従来の装飾用ライトストリングの分解斜視図。
【図６】図５に示す装飾用ライトストリングの、雄コネクタと雌コネクタとが係合された状態における断面図。
【符号の説明】
１０、５０　雄コネクタ
１１、２１、５１、６１　本体
１２、６７　カバー
１３、５５　ピン
１４　止め部
１６、６５　シール
１８　スリーブ
２０、６０　雌コネクタ
２２、５３　エンクロージャ
２３、６１１　受け口
２４　案内スロット
２６　間隙
２７　ヘッド部
６３　肩部
１２１、６７１　内ねじ部
１８１　リブ
２２１、５３１　外ねじ部
【図１】
0003098347.tif 000003
【図２】
0003098347.tif 000004
【図３】
0003098347.tif 000005
【図４】
0003098347.tif 000006
【図５】
0003098347.tif 000007
【図６】
0003098347.tif 000008